(57)【特許請求の範囲】
【請求項１】
貫通形成された孔部の周囲に一端が気密接続され且つ他端側が開閉自在である筒状部材を含んで構成された作業口を１以上有する透明材料のカバーを利用した、被覆材の除去方法であって、
被覆材が付着している梁の側面に沿って且つ該側面に接近させて前記カバーの上縁を保持し、前記梁の側面及び下面を作業空間をあけて覆うように前記カバーを配置する工程と、
該配置したカバーの内側を吸引機で吸引しつつ、前記作業口を利用して、前記梁の側面に付着している被覆材へ固化剤を散布して固化させる工程と、
該梁側面の被覆材固化後、前記カバーの上縁を、前記梁側面の被覆材固化範囲に当接させる工程と、
該上縁を当接させたカバーの内側を吸引機で吸引しつつ、前記作業口を利用して、前記梁における固化していない被覆材を除去する工程と、
該梁の被覆材除去後に前記カバーを取り払い、前記被覆材を除去した梁の部分をカバー固定に利用して、前記梁に隣接した施工部位を別の前記カバーにより養生し、該施工部位の被覆材を除去する工程と、
を含む除去方法。
【請求項２】
貫通形成された孔部の周囲に一端が気密接続され且つ他端側が開閉自在である筒状部材を含んで構成された作業口を１以上有する透明材料のカバーを利用した、被覆材の除去方法であって、
Ｕ字溝状に保持した前記カバーの上縁を、被覆材が付着しているスラブ下面に接近させて配置する工程と、
該配置したカバーの内側を吸引機で吸引しつつ、前記作業口を利用して、前記スラブ下面に付着している被覆材へ固化剤を散布し、前記カバーの上縁を当接させるための被覆材固化範囲を少なくとも二筋形成する工程と、
該被覆材固化範囲形成後、前記カバーの上縁を、前記被覆材固化範囲に当接させる工程と、
該上縁を当接させたカバーの内側を吸引機で吸引しつつ、前記作業口を利用して、前記被覆材固化範囲に挟まれた部分の固化していない被覆材を除去する工程と、
該被覆材除去後に前記カバーを取り払い、前記被覆材を除去したスラブ下面の部分をカバー固定に利用して、当該被覆材除去部分に隣接した施工部位を別の前記カバーにより養生し、該施工部位の被覆材を除去する工程と、
を含む除去方法。
【発明の詳細な説明】
【技術分野】
【０００１】
アスベスト等の被覆材の除去に関する技術が以下に開示される。
【背景技術】
【０００２】
耐火、耐熱の被覆材として建物の壁面に付着させた既存のアスベスト等を除去する方法として、特許文献１のように、透明材料の柔軟なカバーで施工部位を覆って養生し、そのカバーの外側から、該カバーに設けられた作業口を通して被覆材を除去する方法が提案されている。カバーの内側は吸引機により負圧に維持されるので、除去した被覆材が外側へ漏れ出すことはなく、特許文献１の場合は最終的に、下方に備えられた廃棄物袋へ収容することができる。また最近では、ＨＥＰＡフィルタを備えた集塵機能をもつ吸引機によって前記カバーの内側を吸引する方法が使用され、この場合、被覆材は吸引機により集塵されて廃棄物袋へ収容される。
【０００３】
特許文献１では、カバーが不透明材料の外側膜部材及び透明材料の内側部材からなり、建物の解体時に外側膜部材を切断した上で、内側膜部材を利用して上記方法を実施することが記載されている。しかし最近では、透明材料の内側膜部材のみをカバーとして使用し、既存建物において、当該カバーにより被覆材付着壁面を覆って養生することで（つまり特許文献１の内側膜部材のみを使用する方法）、現在使用中の建物においても除去作業できるようにした除去方法も知られている。
【先行技術文献】
【特許文献】
【０００４】
【特許文献１】特開２００７−２１７９２３号公報
【発明の概要】
【発明が解決しようとする課題】
【０００５】
上記の除去方法で、現在使用中の建物において透明材料のカバーにより施工部位を養生して除去作業する場合、そのカバーの縁を固定する場所は、被覆材が付着していない壁面や梁、柱でなくてはならない。すなわち、カバーの縁を固定するときも被覆材の飛散は許されないので、カバーは、被覆材の無い場所を利用して固定しなくてはならない。このために、ビルの１フロアの天井裏、つまりスラブの下側全域に付着している被覆材を除去する場合に、次のような課題がある。
【０００６】
図１に示すように、天井の化粧板Ｋの裏、つまりスラブＳの下側全域に被覆材１を付着させてあるビルにおいて、１フロアをパーティションＰで仕切ってＡ室、Ｂ室としてある場合を想定する。このフロアにおいてＡ室が現在使用中で且つＢ室が空き室になっているときに、Ｂ室側の部分に関して先に被覆材１を除去してしまいたいとしても、スラブＳの下側において上記カバーを固定する場所、つまり被覆材１が付着していない場所が無いので、Ｂ室の部分だけをカバーで養生することができない。すなわち、このようなビルの場合、被覆材１の無い側壁Ｗにカバーの縁を固定してスラブＳの下側全域を一度に養生し、１フロア全体で一気に除去作業を実施しない限り、他に被覆材を除去する手立てがない。片方の室側だけ部分的に被覆材を除去することができないので、使用中のＡ室を空けてもらわなければ除去作業を実施できないことになる。
【０００７】
以上の背景に鑑みると、スラブの下側全域に被覆材が付着している場合に、部分的にカバーで養生し、当該部分の被覆材を除去することを可能とする工法が必要である。
【課題を解決するための手段】
【０００８】
上記課題に対し、貫通形成された孔部の周囲に一端が気密接続され且つ他端側が開閉自在である筒状部材を含んで構成された作業口を１以上有する透明材料のカバーを利用した、被覆材の除去方法として、次の態様を提案する。
【０００９】
第１の態様に係る被覆材の除去方法は、
被覆材が付着している梁の側面に沿って且つ該側面に接近させて上記カバーの上縁を保持し、前記梁の側面及び下面を作業空間をあけて覆うように前記カバーを配置する工程と、
該配置したカバーの内側を吸引機で吸引しつつ、前記作業口を利用して、前記梁の側面に付着している被覆材へ固化剤を散布して固化させる工程と、
該梁側面の被覆材固化後、前記カバーの上縁を、前記梁側面の被覆材固化範囲に当接させる工程と、
該上縁を当接させたカバーの内側を吸引機で吸引しつつ、前記作業口を利用して、前記梁における固化していない被覆材を除去する工程と、
該梁の被覆材除去後に前記カバーを取り払い、前記被覆材を除去した梁の部分をカバー固定に利用して、前記梁に隣接した施工部位を別の上記カバーにより養生し、該施工部位の被覆材を除去する工程と、
を含む除去方法である。
【００１０】
第２の態様に係る除去方法は、
Ｕ字溝状に保持した上記カバーの上縁を、被覆材が付着しているスラブ下面に接近させて配置する工程と、
該配置したカバーの内側を吸引機で吸引しつつ、前記作業口を利用して、前記スラブ下面に付着している被覆材へ固化剤を散布し、前記カバーの上縁を当接させるための被覆材固化範囲を少なくとも二筋形成する工程と、
該被覆材固化範囲形成後、前記カバーの上縁を、前記被覆材固化範囲に当接させる工程と、
該上縁を当接させたカバーの内側を吸引機で吸引しつつ、前記作業口を利用して、前記被覆材固化範囲に挟まれた部分の固化していない被覆材を除去する工程と、
該被覆材除去後に前記カバーを取り払い、前記被覆材を除去したスラブ下面の部分をカバー固定に利用して、当該被覆材除去部分に隣接した施工部位を別の上記カバーにより養生し、該施工部位の被覆材を除去する工程と、
を含む除去方法である。
【００１１】
第３の態様に係る除去方法は、
被覆材が付着している梁の両脇のスラブ下面に上記カバーの上縁を固定し、前記梁の少なくとも一部を作業空間をあけて覆うように前記カバーを配置する工程と、
該配置したカバーの内側を吸引機で吸引しつつ、前記作業口を利用して、前記梁に付着している被覆材へ固化剤を散布し、被覆材固化範囲を少なくとも１つ形成する工程と、
該被覆材固化範囲形成後、前記被覆材固化範囲において前記カバーを前記梁へ押し付け、前記被覆材固化範囲と前記カバーとを当接させる工程と、
該カバー当接後、前記カバーの内側を吸引機で吸引しつつ、前記作業口を利用して、当該カバー内において固化していない被覆材を除去する工程と、
を含む除去方法である。
【００１２】
第４の態様に係る除去方法は、
被覆材が付着している梁の両脇のスラブ下面に上記カバーの上縁を固定し、前記梁の少なくとも一部を作業空間をあけて覆うように前記カバーを配置する工程と、
該配置したカバーの内側を吸引機で吸引しつつ、前記作業口を利用して、前記梁に付着している被覆材へ固化剤を散布し、互いに離間した少なくとも２箇所の被覆材固化範囲を形成する工程と、
該被覆材固化範囲形成後、前記被覆材固化範囲において前記カバーを前記梁へ押し付け、前記被覆材固化範囲と前記カバーとを当接させる工程と、
該カバー当接後、前記被覆材固化範囲の間において前記カバーの内側を吸引機で吸引しつつ、前記作業口を利用して、前記被覆材固化範囲の間における固化していない被覆材を除去する工程と、
を含む除去方法である。
【発明の効果】
【００１３】
上記提案に係る被覆材の除去方法によれば、スラブの下側全域や梁の全域に被覆材が付着している場合であっても、その一部をカバーで養生して該養生部分の被覆材だけを除去することができるので、建物の現状に合わせた適切な工区を設定して除去作業を実施することが可能となる。
【図面の簡単な説明】
【００１４】
【図１】第１の実施形態に係る被覆材の除去方法を説明する工程図。
【図２】図１に続く工程図。
【図３】図２の治具及びカバーを交差方向から見て示した図。
【図４】図２に続く工程図。
【図５】図４に続く工程図。
【図６】第２の実施形態に係る被覆材の除去方法を説明する工程図。
【図７】図６に続く工程図。
【図８】図７に続く工程図。
【図９】図８に続く工程図。
【図１０】第３の実施形態に係る被覆材の除去方法を説明する工程図。
【図１１】図１０に続く工程図。
【発明を実施するための形態】
【００１５】
以下に示す実施形態で使用する透明材料のカバーは、上述の特許文献１に記載されている内側膜部材と同様のもので、例えば、塩化ビニル系樹脂フィルム、フッ素系樹脂フィルム、ポリオレフィン系樹脂フィルム、塩化ビニル系樹脂をコーティングしたポリエステル繊維布、ポリオレフィン系樹脂をコーティングしたポリオレフィン繊維布を材料とする、柔軟なカバーである。このカバーは、貫通形成された孔部の周囲に一端が気密接続され且つ他端側が開閉自在である筒状部材を含んで構成された作業口を、カバーの養生範囲に応じた個数有する。この作業口を通してカバーの外側から内側へ作業具を差し入れることができ、作業具を通した状態で筒状部材の他端側を閉じることにより、作業口を通じた被覆材の漏洩が防止される。
【００１６】
図１〜図５に示す工程図を参照して、第１の実施形態に係る被覆材の除去方法を説明する。
【００１７】
図１に示すように、アスベスト等の被覆材１をスラブＳの下側全域に付着させてあるビルにおいて、１フロアがパーティションＰで仕切られていて、Ａ室とＢ室が形成されている。このフロアにおいてＡ室が現在使用中のため、空き室のＢ室側の部分に関して先に被覆材１を除去する。
【００１８】
図２に示すように、まず、Ｂ室において、スラブＳの下面を隠している天井の化粧板Ｋを、吊り下げフックＦと共に取り外す。これにより露出したスラブＳの下側において、図２及び図３に示すように、突出している梁（鉄骨）２を囲うように、カバー３を配置する。すなわち、被覆材１が付着している梁２の側面２ａに接近させて（接触させない）、カバー３の上縁３ａを側面２ａに沿って保持する。上縁３ａを梁２の側面２ａに沿わせて保持することによって、これから垂れ下がるカバー３は、梁２の側面２ａ及び下面２ｂを作業空間をあけて覆うように配置される。配置されたカバー３には、貫通形成された孔部の周囲に一端が気密接続され且つ他端側が開閉自在である筒状部材（カバーと同材料）を含んで構成された作業口３ｂが複数形成されている。
【００１９】
このカバー３の配置のために使用される治具４は、伸縮して高さ調整可能な支柱部材４ａと、支柱部材４ａ先端に固定された横枠部材４ｂと、横枠部材４ｂ上に立設され、横枠部材４ｂに沿ってスライドさせることができ、互いの間隔を調整可能な２本の縦枠部材４ｃと、を含んで構成される。横枠部材４ｂは、縦枠部材４ｃをスライドさせるための長孔４ｄと、間隔を調整した縦枠部材４ｃの位置を固定する固定ボルト４ｅと、を備えている。縦枠部材４ｃは、梁２の形状に合わせて、先端側が鉤形に内方へ曲折している。このような治具４が、梁２の延長方向へ複数並べられ、その隣り合った治具４の縦枠部材４ｃの間に、角柱状の桟部材４ｆが架け渡される。カバー３は、その上縁３ａが、例えば面ファスナーによって縦枠部材４ｃ及び桟部材４ｆに貼り付けられて保持される。桟部材４ｆは、金属や樹脂製の棒、ロープなど、カバー３の上縁３ａを直線状に保持可能なものであればよい。
【００２０】
上記治具４によって、梁２の側面２ａ及び下面２ｂを作業空間をあけて覆うようにカバー３が配置されると、該カバー３の内側が吸引機５により吸引され負圧に維持される。吸引機５は、ＨＥＰＡフィルタを備えた集塵機能をもつもので、カバー３内の空気を吸引して廃棄物袋へ集塵する。吸引機５から延びる吸引ホース５ａは、作業口３ｂ同様に気密封止可能に形成した吸引口３ｃを通して、カバー３内に連通する。
【００２１】
カバー３の内側を吸引機５で吸引しつつ、作業口３ｂを利用して、梁２の側面２ａに付着している被覆材１へ固化剤を散布して固化させる。すなわち、固化剤散布用のノズルを、カバー３の外側から作業口３ｂを通してカバー３内側へ差し入れると共に該作業口３ｂの筒状部材を閉じて気密封止したうえで、該ノズルから側面２ａへ向かって固化剤を噴射する。この作業を、多数の作業口３ｂを利用して実施し、梁２の全長にわたって側面２ａの被覆材１を固化させ、被覆材固化範囲１ａを形成する。なお、関係の無い作業口３ｂは閉じておく。
【００２２】
被覆材１の固化後、図４に示すように、カバー３の上縁３ａを、梁２の側面２ａに形成した被覆材固化範囲１ａに当接させる。すなわち、治具４を操作し、固定ボルト４ｅを緩めて縦枠部材４ｃをスライドさせて狭め、上縁３ａを保持した縦枠部材４ｃ及び桟部材４ｆで梁２を挟み込むようにして、カバー３の上縁３ａを被覆材固化範囲１ａに押し当てて開口を塞ぎ、固定ボルト４ｅを締めて固定する。この作業は、吸引機５により吸引を行いつつ実施してもよい（吸引を行う場合はカバー３のいずれか１箇所以上に通気孔を確保するとよい）。
【００２３】
続いて、上縁３ａを被覆材固化範囲１ａに当接させたカバー３の内側を吸引機５で吸引しつつ、作業口３ｂを利用してカバー３内で、梁２における固化していない被覆材１を除去する。すなわち、被覆材固化範囲１ａから先の下面２ｂ周辺に付着している被覆材１を、作業口３ｂから差し入れたヘラ等で掻き落とす。掻き落とすためのヘラ等の道具は、カバー３の外側から作業口３ｂを通してカバー３内側へ差し入れると共に該作業口３ｂの筒状部材を閉じ気密封止して使用する。他の作業口３ｂは閉じておく。除去した被覆材１は、吸引機５により集塵される。
【００２４】
カバー３内において固化していない被覆材１を除去し終わると、カバー３及び治具４を取り払う。そして、図５に示すように、梁２において、被覆材固化範囲１ａから先の部分、すなわち、被覆材１が除去されて露出した梁２の部分を、カバー固定に利用して、別のカバー６の縁６ａを固定する。カバー６は、カバー３と同じ構造のものである。カバー６の他方の縁６ｂは側壁Ｗに固定され、一方の縁６ａから他方の縁６ｂまでの間には、足場材７が組まれてカバー６を下から支える。これにより、梁２に対して図中右側に隣接した施工部位がカバー６により養生され、上記同様にカバー６の作業口６ｃを利用して、施工部位の被覆材１が除去される。除去作業中は吸引機５によりカバー６の内側が吸引されるので、除去された被覆材１は吸引機１によって集塵される。
【００２５】
以上の工程により、スラブＳの下側全域に被覆材１が付着していても、Ｂ室側を部分的にカバー６で養生することができ、該養生部分の被覆材１だけを除去することが可能である。したがって、Ａ室の方は使用を維持したまま、Ｂ室側だけ先に被覆材１を除去してしまうことができる。
【００２６】
次に、図６〜図９に示す工程図を参照して、第２の実施形態に係る被覆材の除去方法を説明する。なお、第１の実施形態と共通する部分には同じ符号を使用する。
【００２７】
図６に示すように、アスベスト等の被覆材１をスラブＳの下側全域に付着させてあるビルにおいて、１フロアがパーティションＰで仕切られていて、Ａ室とＢ室が形成されている。このフロアにおいてＡ室が現在使用中のため、空き室のＢ室側の部分に関して先に被覆材１を除去する。
【００２８】
図７に示すように、まず、Ｂ室において、スラブＳの下面を隠している天井の化粧板Ｋを、吊り下げフックＦと共に取り外す。そして、露出した被覆材１の付着したスラブＳの下面に対し、カバー３の上縁３ａを接近させて配置する（接触させない）。カバー３は、上記同様、貫通形成された孔部の周囲に一端が気密接続され且つ他端側が開閉自在である筒状部材（カバーと同材料）を含んで構成された作業口３ｂが複数形成されている。このカバー３が、治具１０によりＵ字溝状に保持される。
【００２９】
このようなカバー３の配置のために使用される治具１０は、伸縮して高さ調整可能な支柱部材１０ａと、支柱部材１０ａ先端に固定された横枠部材１０ｂと、横枠部材１０ｂ上に立設され、横枠部材１０ｂに沿ってスライドさせることができ、互いの間隔を調整可能な２本の縦枠部材１０ｃと、を含んで構成される。横枠部材１０ｂは、縦枠部材１０ｃをスライドさせるための長孔１０ｄと、間隔を調整した縦枠部材１０ｃの位置を固定する固定ボルト１０ｅと、を備えている。縦枠部材１０ｃは、先端側が外方へほぼ直角に曲折している。このような治具１０が、梁２の延長方向に沿って複数並べられ、その隣り合った治具１０の縦枠部材１０ｃの間に、角柱状の桟部材１０ｆが架け渡される。カバー３は、その上縁３ａが、例えば面ファスナーによって縦枠部材１０ｃ及び桟部材１０ｆに貼り付けられて保持される。桟部材１０ｆは、金属や樹脂製の棒、ロープなど、カバー３の上縁３ａを直線状に保持可能なものであればよい。
【００３０】
上記治具１０によって、Ｕ字溝状に保持したカバー３の上縁３ａをスラブＳ下面に接近させて配置した後、該カバー３の内側が吸引機５により吸引され負圧に維持される。吸引機５は、ＨＥＰＡフィルタを備えた集塵機能をもつもので、カバー３内の空気を吸引して廃棄物袋へ集塵する。吸引機５から延びる吸引ホース５ａは、作業口３ｂ同様に気密封止可能に形成した吸引口３ｃを通して、カバー３内に連通する。
【００３１】
カバー３の内側を吸引機５で吸引しつつ、作業口３ｂを利用して、スラブＳ下面に付着している被覆材１へ固化剤を散布して固化させる。すなわち、固化剤散布用のノズルを、カバー３の外側から作業口３ｂを通してカバー３内側へ差し入れると共に該作業口３ｂの筒状部材を閉じて気密封止したうえで、該ノズルからスラブＳ下面の被覆材１へ向かって固化剤を噴射する。この作業を、多数の作業口３ｂを利用して実施し、カバー３の上縁３ａを当接させるために、並行する二筋の被覆材固化範囲１ａを形成する（場合によっては二筋以上でもよい）。なお、関係の無い作業口３ｂは閉じておく。
【００３２】
被覆材１の固化後、図８に示すように、カバー３の上縁３ａを、スラブＳ下面において二筋形成した被覆材固化範囲１ａに当接させる。すなわち、治具１０を操作し、固定ボルト１０ｅを緩めて縦枠部材１０ｃを、被覆材固化範囲１ａに相応する間隔にスライドさせ、固定ボルト１０ｅを締める。そして、支柱部材１０ａを伸ばすことで、縦部材１０ｃ及び桟部材１０ｆに保持したカバー３の上縁３ａを被覆材固化範囲１ａに押し当て、全体的に当接させる。この作業は、吸引機５により吸引を行いつつ実施してもよい（吸引を行う場合はカバー３のいずれか１箇所以上に通気孔を確保するとよい）。
【００３３】
続いて、上縁３ａを被覆材固化範囲１ａに当接させたカバー３の内側を吸引機５で吸引しつつ、作業口３ｂを利用してカバー３内で、被覆材固化範囲１ａに挟まれた部分の固化していない被覆材１を除去する。すなわち、二筋の被覆材固化範囲１ａに挟まれた部分の被覆材１を、作業口３ｂから差し入れたヘラ等で掻き落とす。掻き落とすためのヘラ等の道具は、カバー３の外側から作業口３を通してカバー３内側へ差し入れると共に該作業口３ｂの筒状部材を閉じ気密封止して使用する。他の作業口３ｂは閉じておく。除去した被覆材１は、吸引機５により集塵される。
【００３４】
カバー３内において固化していない被覆材１を除去し終わると、カバー３及び治具１０を取り払う。そして、図９に示すように、被覆材１が除去されて露出した、被覆材固化範囲１ａの間のスラブＳ下面の部分を、カバー固定に利用して、別のカバー６の縁６ａを固定する。カバー６は、カバー３と同じ構造のものである。カバー６の他方の縁６ｂは側壁Ｗに固定され、一方の縁６ａから他方の縁６ｂまでの間には、足場材７が組まれてカバー６を下から支える。これにより、被覆材１を除去した部分に対して図中右側に隣接した施工部位がカバー６により養生され、上記同様にカバー６の作業口６ａを利用して、施工部位の被覆材１及び被覆材固化範囲１ａが除去される。除去作業中は吸引機５によりカバー６の内側が吸引されるので、除去された被覆材１は吸引機１によって集塵される。
【００３５】
以上の工程により、スラブＳの下側全域に被覆材１が付着していても、Ｂ室側を部分的にカバー６で養生することができ、該養生部分の被覆材１だけを除去することが可能である。したがって、Ａ室の方は使用を維持したまま、Ｂ室側だけ先に被覆材１を除去してしまうことができる。
【００３６】
図１０及び図１１に示す工程図を参照して、第３の実施形態に係る被覆材の除去方法を説明する。第３の実施形態に係る除去方法は、梁２に付着している被覆材１を部分的に除去する方法である。なお、第１の実施形態と共通する部分には同じ符号を使用する。図１０及び図１１中、分図Ｂは、分図Ａに示す断面線Ｘ−Ｘで見た断面図である。
【００３７】
図１０に示すように、第３の実施形態ではスラブＳの下面に被覆材１が付着しておらず、梁２にのみ被覆材１が付着している。そこでまず、被覆材１が付着している梁２の両脇において、梁２に沿ってスラブＳ下面にカバー３の上縁３ａを固定する。上縁３ａを固定されて垂れ下がるカバー３は、作業空間をあけて梁２を部分的に覆うように配置される。カバー３は、上記同様、貫通形成された孔部の周囲に一端が気密接続され且つ他端側が開閉自在である筒状部材（カバーと同材料）を含んで構成された作業口３ｂが複数形成されている。
【００３８】
カバー３を配置した後、該カバー３の内側が、上記同様の吸引機により吸引され負圧に維持される。吸引機は、ＨＥＰＡフィルタを備えた集塵機能をもつもので、カバー３内の空気を吸引して廃棄物袋へ集塵する。吸引機から延びる吸引ホース５ａが、作業口３ｂ同様に気密封止可能に形成した吸引口３ｃを通して、カバー３内に連通する。
【００３９】
カバー３の内側を吸引機で吸引しつつ、作業口３ｂを利用して、梁２に付着している被覆材１へ固化剤を散布して固化させる。すなわち、固化剤散布用のノズルを、カバー３の外側から作業口３ｂを通してカバー３内側へ差し入れると共に該作業口３ｂの筒状部材を閉じて気密封止したうえで、該ノズルから梁２の被覆材１へ向かって固化剤を噴射する。この作業を、複数の作業口３ｂを利用して実施し、カバー３を当接させるために、互いに離間した２箇所の被覆材固化範囲１ａを形成する（場合によっては２箇所以上にもできる）。なお、関係の無い作業口３ｂは閉じておく。
【００４０】
被覆材１の固化後、図１１に示すように、形成した被覆材固化範囲１ａにおいてカバー３を梁２へ押し付け、被覆材固化範囲１ａとカバー３とを当接させる。このために、治具１１を使用する。治具１１は、伸縮して高さ調整可能な支柱部材１１ａと、支柱部材１１ａ先端に固定された横枠部材１１ｂと、横枠部材１１ｂ上に立設され、横枠部材１１ｂに沿ってスライドさせることができ、互いの間隔を調整可能な２本の縦枠部材１１ｃと、を含んで構成される。横枠部材１１ｂは、縦枠部材１１ｃをスライドさせるための長孔１１ｄと、間隔を調整した縦枠部材１１ｃの位置を固定する固定ボルト１１ｅと、を備えている。縦枠部材１１ｃは、中間部に、Ｈ形鋼である梁２の形状に相当する突出部材１１ｆを有する。このような治具１１が、被覆材固化範囲１ａの部位に配置される。配置した治具１１を操作し、縦枠部材１１ｃをスライドさせて狭め、縦枠部材１１ｃ及び突出部材１１ｆで梁２を挟み込むようにして、カバー３を被覆材固化範囲１ａに押し当て、開口を塞ぐ。この作業は、吸引機５により吸引を行いつつ実施してもよい（吸引を行う場合はカバー３のいずれか１箇所以上に通気孔を確保するとよい）。
【００４１】
続いて、被覆材固化範囲１ａに当接させたカバー３の内側を吸引機５で吸引しつつ、作業口３ｂを利用してカバー３内で、梁２における固化していない被覆材１を除去する。すなわち、被覆材固化範囲１ａの間に付着している被覆材１を、作業口３ｂから差し入れたヘラ等で掻き落とす。掻き落とすためのヘラ等の道具は、カバー３の外側から作業口３ｂを通してカバー３内側へ差し入れると共に該作業口３ｂの筒状部材を閉じ気密封止して使用する。他の作業口３ｂは閉じておく。除去した被覆材１は、吸引機５により集塵される。
【００４２】
以上の作業により、梁２における被覆材１が部分的に除去される。なお、被覆材固化範囲１ａは１つ形成するだけでもよく、この場合、カバー３の反対側の端は、側壁等まで延長して固定すればよい。
【符号の説明】
【００４３】
Ｓ  スラブ
１  被覆材
１ａ  被覆材固化範囲
２  梁
２ａ  側面
２ｂ  下面
３  カバー
３ａ  上縁
３ｂ  作業口
３ｃ  吸引口
４  治具
４ａ  支柱部材
４ｂ  横枠部材
４ｃ  縦枠部材
４ｆ  桟部材
５  吸引機
５ａ  吸引ホース
６  カバー
６ａ，６ｂ  縁
６ｃ  作業口
７  足場
１０  治具
１０ａ  支柱部材
１０ｂ  横枠部材
１０ｃ  縦枠部材
１０ｆ  桟部材
１１  治具
１１ａ  支柱部材
１１ｂ  横枠部材
１１ｃ  縦枠部材
１１ｆ  突出部材
【図１】
0005635306.tif 000002
【図２】
0005635306.tif 000003
【図３】
0005635306.tif 000004
【図４】
0005635306.tif 000005
【図５】
0005635306.tif 000006
【図６】
0005635306.tif 000007
【図７】
0005635306.tif 000008
【図８】
0005635306.tif 000009
【図９】
0005635306.tif 000010
【図１０】
0005635306.tif 000011
【図１１】
0005635306.tif 000012